(57)【要約】【課題】外部の電子装置と電気的に連結されることができると共に、記録した走行中の映像や音声を外部の電子装置に転送することができるドライブレコーダーを提供する。【解決手段】ドライブレコーダー２は、電源装置３の電源出力を所定の電圧レベルに変換する、電源装置３と電気的に連結されるように設けられたトランス装置２１と、トランス装置２１と電気的に連結されるように移動体の走行中のデータを記録する記録装置２２と、変換された所定の電圧レベルを有する電源装置３からの電源出力を供給すると共に、記録装置２２によって記録されたデータを外部に転送するために、トランス装置２１及び記録装置２２と電気的に連結されるように設けられたＵＳＢ装置２３とを備えている。【選択図】図２
2015156213.tif 000002
【特許請求の範囲】
【請求項１】
移動体の走行中の映像や音声を含むデータを記録すると共に前記データを外部のＵＳＢ電子装置に転送するように作動するために電源装置と連結可能なドライブレコーダーであって、
前記電源装置の電源出力を所定の電圧レベルに変換するために前記電源装置と電気的に連結されるように設けられたトランス装置と、
前記トランス装置と電気的に連結されて前記データを記録する記録装置と、
前記トランス装置によって変換された所定の前記電圧レベルを有する前記電源出力を外部の前記ＵＳＢ電子装置へ供給すると共に、前記記録装置によって記録された前記データを外部に転送するために、前記トランス装置及び前記記録装置と電気的に連結されるように設けられたＵＳＢ装置と、
を備えていることを特徴とするドライブレコーダー。
【請求項２】
前記トランス装置は、前記電源装置の電源出力を所定の前記電圧レベルに変換した上で、前記記録装置及び前記ＵＳＢ装置にそれぞれ供給することを特徴とする請求項１に記載のドライブレコーダー。
【請求項３】
前記記録装置は、前記移動体の走行中の映像を記録するように設けられた映像記録ユニット、前記移動体の走行中の音声を記録するように設けられた音声記録ユニット、及び前記映像記録ユニットと前記音声記録ユニットとによって記録された前記データを蓄積する記憶ユニットを有し、
前記記録装置は、前記記憶ユニットに蓄積された前記データを前記ＵＳＢ装置を介して外部に転送するように前記ＵＳＢ装置と電気的に連結されていることを特徴とする請求項１に記載のドライブレコーダー。
【請求項４】
前記ＵＳＢ装置は、外部の前記ＵＳＢ電子装置を差し込むためのＵＳＢソケットが設けられていることを特徴とする請求項１に記載のドライブレコーダー。
【請求項５】
前記ＵＳＢ装置は、外部よりの塵埃や水気の浸入を避けるために前記ＵＳＢソケットを覆うように設けられたプロテクトユニットを有することを特徴とする請求項４に記載のドライブレコーダー。
【請求項６】
前記プロテクトユニットは、前記ＵＳＢソケットを差し込む差込孔が形成されている本体部と、前記本体部に蓋をするように前記本体部に連結されて設けられたキャップ体とを有する、ことを特徴とする請求項５に記載のドライブレコーダー。
【請求項７】
前記本体部に前記差込孔と外部とに連通する水抜き穴が更に設けられていることを特徴とする請求項６に記載のドライブレコーダー。
【発明の詳細な説明】
【技術分野】
【０００１】
本発明は、例えばバイクなどの移動体に設置されるドライブレコーダーに関する。
【背景技術】
【０００２】
ドライブレコーダーとは、バイクなどの移動体の走行中の映像や音声を記録する車載装置で、気軽にドライブ中の映像を記録し、楽しむことができる他、交通事故処理の迅速化や、安全運転意識の向上などのメリットもある。
【０００３】
図７は、バイク（例えば図５参照）に取り付けられる従来のドライブレコーダーの一例を概略的に示す。この従来のドライブレコーダー１は、映像や音声を記録する撮像素子を載置した鏡筒状になっているカメラ部１１と、カメラ部１１を支えるようにカメラ部１１と一体に連結されて設けられたホルダー１６とを有し、カメラ部１１内に複数枚の合焦用レンズを含めているレンズユニット１３が取り付けられ、ホルダー１６に記憶ユニット１４と集音用のマイクロホン１２とが撮像素子と電気的に連結されるように取り付けられている（例えば特許文献１参照）。そして、ホルダー１６にメモリカードを差すためのスロット１５が記憶ユニット１４と電気的に連結されるように設けられている。
【先行技術文献】
【特許文献】
【０００４】
【特許文献１】台湾登録実用新案第Ｍ４１８０７６号
【発明の概要】
【発明が解決しようとする課題】
【０００５】
この従来のドライブレコーダー１は、付設された電源コード１０を移動体の電源に繋ぐことによって作動されると、撮像素子及び記憶ユニット１４によって移動体の走行中の音声や映像を撮像・記録するようになっている。ドライブレコーダー１の電源レベルは通常５ボルトで、移動体の電源であるシガーソケット電源出力が１２ボルトであるので、１２Ｖを５Ｖに変換するためにシガーソケットに電源変換器を装着しなければならない。そのため、シガーソケットに電源変換器を介してドライブレコーダー１を装着すると、ドライブレコーダー１以外の機器、例えばカーナビ機器や、スマートフォン、タブレットなどの充電に用いることができない問題点がある。また、ドライブレコーダー１は、記録した映像等をメモリカードに蓄積しているため、ドライブレコーダー１からそのまま読み取ることができず、リーダーによってメモリカードに蓄積された映像などを読み取らなければならない問題点もある。
【０００６】
本発明は、上記問題点に鑑みてなされたものであり、外部の電子装置と電気的に連結されることができると共に、記録した走行中の映像や音声を外部の電子装置に転送することができるドライブレコーダーを提供することを目的とする。
【課題を解決するための手段】
【０００７】
上記目的を達成するために、本発明は、移動体の走行中の映像や音声を含むデータを記録すると共に前記データを外部のＵＳＢ電子装置に転送するように作動するために電源装置と連結可能なドライブレコーダーであって、前記電源装置の電源出力を所定の電圧レベルに変換するために前記電源装置と電気的に連結されるように設けられたトランス装置と、前記トランス装置と電気的に連結されて前記データを記録する記録装置と、前記トランス装置によって変換された所定の電圧レベルを有する前記電源出力を外部の前記ＵＳＢ電子装置へ供給すると共に、前記記録装置によって記録された前記データを外部に転送するために、前記トランス装置及び前記記録装置と電気的に連結されるように設けられたＵＳＢ装置と、を備えていることを特徴とする。
【発明の効果】
【０００８】
本発明に係るドライブレコーダーは、バイクなどの移動体の走行中の映像や音声を記録することができると共に、記録されたデータをＵＳＢ装置によって外部のＵＳＢ電子装置に転送することができ、外部のＵＳＢ電子装置と繋いで充電などにも利用できる。
【図面の簡単な説明】
【０００９】
【図１】本発明の一実施形態によるドライブレコーダーの組立正面図である。
【図２】本発明に係るドライブレコーダーの構成を概略的に示すブロック図である。
【図３】ドライブレコーダーが取り付けられたバイクのハンドル部の背面図である。
【図４】ドライブレコーダーが取り付けられたバイクのハンドル部の正面図である。
【図５】本発明に係るドライブレコーダーにおけるＵＳＢ装置を示す分解斜視図である。
【図６】図５のＵＳＢ装置の一部を省略して示す断面図である。
【図７】従来のドライブレコーダーの一例を示す斜視図である。
【発明を実施するための形態】
【００１０】
以下、添付図面に従って本発明に係るドライブレコーダーの好ましい実施形態について説明する。
(実施形態)
図１は、本発明の一実施形態によるドライブレコーダーの組立正面図、図２は、本発明に係るドライブレコーダーの構成を概略的に示すブロック図である。図示の如く、本発明に係るドライブレコーダー２は、外部の電源装置３と連結可能に作動するものであり、トランス装置２１と記録装置２２とＵＳＢ装置２３とを備えている。電源装置３は、例えばバイク等の移動体に例えば１２Ｖの電源を供給するように移動体に装着されたものである。
【００１１】
トランス装置２１は、電源装置３と電気的に連結可能に設けられ、電源装置３の出力をドライブレコーダー２に適用される電圧レベル、例えば５Ｖに変換し、記録装置２２とＵＳＢ（Ｕｎｉｖｅｒｓａｌ  Ｓｅｒｉａｌ  Ｂｕｓ；ユニバーサル・シリアル・バス）装置２３とにそれぞれ給電するようになっている。
【００１２】
ＵＳＢ装置２３は、トランス装置２１と電気的に連結されるように、図３に示されているように、例えばバイクのハンドル部５の走行方向の後部に設けられ、騎乗者がバイクに乗っているとき手元の携帯電話やタブレット、カーナビ装置等のＵＳＢコネクタを備えたＵＳＢ電子装置４がＵＳＢコネクタを介して接続して充電したりデータ伝送したりすることができる。なお、ＵＳＢ装置２３の電源出力は、ＵＳＢ電子装置に適う５ボルト、１アンペアとなる。
【００１３】
記録装置２２は、トランス装置２１と電気的に連結されるように、図４に示されているように、バイクのハンドル部５の走行方向の前部に設けられている。記録装置２２は、この実施形態では、映像記録ユニット２２１、音声記録ユニット２２２及び記憶ユニット２２３を有し、映像記録ユニット２２１と、音声記録ユニット２２２とによって、バイクの走行中の映像や音声を記録し、記録されたデータを記憶ユニット２２３に蓄積する。また、記録装置２２は、記憶ユニット２２３に蓄積されたデータをＵＳＢ装置２３を介して外部に転送するようにＵＳＢ装置２３と電気的に連結されている。
【００１４】
この実施形態では、電源装置３に電気的に連結される警報ユニット（図示せず）を更に取り付けている。ドライブレコーダー２に提供される電力及びＵＳＢ装置２３を介してＵＳＢ電子装置４に提供される電力は、いずれも移動体に給電する電源装置３による電力であるため、ＵＳＢ電子装置４に充電している間電源装置３の電源を使いすぎて移動体の走行に影響することのないように、取り付けられた警報ユニットによって、電源装置３の電量が予め決められた電力値になると、騎乗者に通報することができる。なお、警報ユニットは例えば音やライトで知らせることができるが、これらに制限されない。
【００１５】
ＵＳＢ装置２３は、図２と図５に示されているように、外部のＵＳＢ電子装置４を差し込むために設けられたＵＳＢソケット２３１と、ＵＳＢソケット２３１を覆うように設けられたプロテクトユニット２３２とを有する。
【００１６】
プロテクトユニット２３２は、差込孔２３０が形成され、ＵＳＢソケット２３１を差し込むことができるように設けられた本体部２３３と、差込孔２３０に対応する開口部２３７が設けられ、本体部２３３に蓋をするように本体部２３３に連結されて設けられた例えば扁平状のキャップ体２３４とを有し、キャップ体２３４は、折り曲げられて開口部２３７を閉じて差込孔２３０を封するように開口部２３７を開閉可能に蓋する屈折部２３６がキャップ体２３４の一側より延伸されて設けられている。ＵＳＢ電子装置４が差し込まれていない場合、キャップ体２３４の屈折部２３６を、例えば図５における矢印で示されている向きに折り曲げて開口部２３７を蓋することによって、外部よりの塵埃や水気が差込孔２３０に侵入してＵＳＢソケット２３１が汚れてＵＳＢ電子装置４がショートすることを防止することができる。
【００１７】
ＵＳＢ装置２３は、図６に示されているように、プロテクトユニット２３２の本体部２３３に差込孔２３０と外部とに連通する水抜き穴２３５が更に設けられている。こうすると、ＵＳＢ装置２３は、バイクのハンドル部５の騎乗者側の後部に配置されているので、雨水などの水気が開口部２３７より差込孔２３０に浸入しても、水抜き穴２３５によって水気が排出されるようにすることができ、ＵＳＢ電子装置４がＵＳＢソケット２３１に差し込まれてショートすることを防止することができる。
【００１８】
以上により、本発明に係るドライブレコーダー２は、バイクなどの移動体の走行中の映像や音声を記録することができると共に、ＵＳＢ装置２３によって記録されたデータを外部のＵＳＢ電子装置に転送することができ、外部のＵＳＢ電子装置の充電にも供することができる。
【産業上の利用可能性】
【００１９】
本発明に係るドライブレコーダーは、バイクなどの移動体の走行中の映像や音声の記録と共に外部のＵＳＢ電子装置への充電・データ転送に有用である。
【符号の説明】
【００２０】
２  ドライブレコーダー
２１  トランス装置
２２  記録装置
２２１  映像記録ユニット
２２２  音声記録ユニット
２２３  記憶ユニット
２３  ＵＳＢ装置
２３０  差込孔
２３１  ＵＳＢソケット
２３２  プロテクトユニット
２３３  本体部
２３４  キャップ体
２３５  水抜き穴
２３６  屈折部
２３７  開口部
３  電源装置
４  ＵＳＢ電子装置
５  バイクのハンドル部
【図１】
2015156213.tif 000003
【図２】
2015156213.tif 000004
【図３】
2015156213.tif 000005
【図４】
2015156213.tif 000006
【図５】
2015156213.tif 000007
【図６】
2015156213.tif 000008
【図７】
2015156213.tif 000009